(57)【要約】移動局が許可されているが、まだ通常の基地局識別符号（ＢＳＩＣ）復号ができないマルチスロット構成内に位置している場合に、アイドル・フレームの直前のブロック周期（３２０）で前回の送信タイムスロット上の無線ブロックの送信（３７０）を変更する移動局のためのマルチスロット・パケット・データ転送方法（３００）。この方法（３００）は、また、周知の拡張した探索ウィンドウ技術により、アイドル・フレーム（３３０）の直前のフレーム内の前回の送信バーストをスキップする。この方法は、無線ブロックを変更する場合に、非確認応答無線リンク制御モードが使用されているか否か（３５０）、およびロバストな符号化方式が使用されているか否か（３６０）を判定するための種々の基準（３４０）を含む。送信は、変更することができる（３７０）。
2009534941.tif 000002
【特許請求の範囲】
【請求項１】
通常の基地局識別符号（ＢＳＩＣ）復号を行うことができない許可されたマルチスロット構成の移動局のためのマルチスロット・パケット・データ転送方法であって、
アイドル・フレームの直前のフレーム内の前回の送信バーストをスキップするステップと、
前記アイドル・フレームの直前のブロック周期内の前回の送信タイムスロット上の無線ブロックの送信を変更するステップと、を含む方法。
【請求項２】
前記無線ブロックの送信を変更するステップが、
前記前回の送信タイムスロット上の無線ブロックの送信をスキップするステップを含む請求項１に記載のマルチスロット・パケット・データ転送方法。
【請求項３】
前記無線ブロックの送信を変更するステップが、
前記前回の送信タイムスロット上の無線ブロックの送信を、少なくとも１つのダミー・バーストの送信により置換するステップを含む請求項１に記載のマルチスロット・パケット・データ転送方法。
【請求項４】
前記無線ブロックの送信を変更するステップが、
前記前回の送信タイムスロット上の無線ブロックの送信電力レベルを変更するステップを含む請求項１に記載のマルチスロット・パケット・データ転送方法。
【請求項５】
前記送信電力レベルを変更するステップが、前記送信電力レベルを増大するステップを含む請求項１に記載のマルチスロット・パケット・データ転送方法。
【請求項６】
前記送信電力レベルを変更するステップが、
前記前回の送信タイムスロット上の無線ブロックに対して異なる符号化方式を使用するステップを含む請求項１に記載のマルチスロット・パケット・データ転送方法。
【請求項７】
前記異なる符号化方式が、よりロバストなものである請求項６に記載のマルチスロット・パケット・データ転送方法。
【請求項８】
前記アイドル・フレームが、近隣セル探索ウィンドウを含む請求項１に記載のマルチスロット・パケット・データ転送方法。
【請求項９】
前記移動局が、アイドル・フレームの直前のブロック周期内の最後のフレームでないフレームを処理しているか否かを判定するステップと、
前記最後のフレームでないフレームの前回の送信バーストを変更するか否かを評価するステップと、をさらに含む請求項１に記載のマルチスロット・パケット・データ転送方法。
【請求項１０】
前記評価ステップにおいて前記最後のフレームでないフレームの前回の送信バーストを変更するとの結論に達した場合に、前記最後のフレームでないフレームの前記前回の送信バーストを変更するステップを含む請求項９に記載のマルチスロット・パケット・データ転送方法。
【請求項１１】
前記評価ステップが、
非確認応答無線リンク制御モードが使用中であることを確認するステップを含む請求項９に記載のマルチスロット・パケット・データ転送方法。
【請求項１２】
前記評価ステップが、
ロバストでない符号化方式が使用中であることを確認するステップを含む請求項９に記載のマルチスロット・パケット・データ転送方法。
【請求項１３】
前記評価ステップが、
低域損失基準パラメータＣ１が存在することを確認するステップを含む請求項９に記載のマルチスロット・パケット・データ転送方法。
【請求項１４】
前記評価ステップが、
高い上りブロック誤り率が存在することを確認するステップを含む請求項９に記載のマルチスロット・パケット・データ転送方法。
【請求項１５】
前記評価ステップが、
高い下り干渉比が存在することを確認するステップを含む請求項９に記載のマルチスロット・パケット・データ転送方法。
【請求項１６】
前記評価ステップが、
低い下り受信信号レベルが存在することを確認するステップを含む請求項９に記載のマルチスロット・パケット・データ転送方法。
【発明の詳細な説明】
【技術分野】
【０００１】
本発明は、ＧＳＭ／ＥＤＧＥ（Ｇｌｏｂａｌ  Ｓｙｓｔｅｍ  ｆｏｒ  Ｍｏｂｉｌｅ  ｃｏｍｍｕｎｉｃａｔｉｏｎｓ／Ｅｎｈａｎｃｅｄ  Ｄａｔａ  ｒａｔｅ  ｆｏｒ  ＧＳＭ  Ｅｖｏｌｕｔｉｏｎ）無線通信システムのマルチスロット・パケット転送モードに関し、特に、近隣セル探索ウィンドウを拡張した場合に使用するためのマルチスロット・パケット転送方法に関する。
【背景技術】
【０００２】
第三世代通信（３ＧＰＰ）が定めるＧＳＭ／ＥＤＧＥ規格によれば、移動局（ＭＳ）は、モビリティ機能を確保するために、隣接セルの識別を周期的に探索し、同期し、確認しなければならない。ＢＳＩＣ復号と呼ぶこのプロセスは、所与の周波数が特定の隣接基地局の同報通信制御チャネル（ＢＣＣＨ）として使用されていることを示す周波数補正チャネル（ＦＣＣＨ）を探索するステップと、隣接セルの同期に微調整するために、同期チャネル（ＳＣＨ）を復号するステップと、ＳＣＨによる基地トランシーバ局識別符号（ＢＳＩＣ）同報通信を使用して、セルが予想したものである（他のセルが同じ周波数を使用していない）ことを確認するステップとからなる。
【発明の開示】
【発明が解決しようとする課題】
【０００３】
都合の悪いことに、パケット転送モード中にＢＳＩＣ復号を行うために割り当てられたアイドル・フレーム（「探索」フレームとも呼ばれる）は、通常、ＭＳがあるマルチスロット構成内に位置する場合に、ＢＳＩＣ復号を完了するための十分な時間的余裕を与えない。３ＧＰＰ  ＴＳ４５．００８Ｖ７．２．０第１０．１．１．２節は、「ある許可されたマルチスロット構成（３ＧＰＰ  ＴＳ４５．００２参照）」においては、ＭＳは、ＢＳＩＣ復号またはマルチＲＡＴ測定を行うことはできないと規定している。この場合、ＭＳは、ＢＳＩＣ情報を探索し、確認しおよび復号するための要件に適合するために、またはマルチＲＡＴ測定を行うために、アイドル・フレーム直前のフレーム内の前回の送信バーストをスキップすることができるか、またはアイドル・フレーム直後のフレーム内の第１の受信バーストをスキップすることができる。３ＧＰＰ  ＴＳ４５．００８Ｖ７．２．０第１０．１．１．２節により送信バーストをスキップすることは、「探索ウィンドウの拡張」と呼ばれる場合もある。
【０００４】
しかし、送信バーストをスキップすることにより探索ウィンドウを拡張することは、必然的にあるデータ送信がスキップされることを意味する。ある状況の場合には、これによりスキップしたバーストを含む全無線ブロックの送信が破損する場合がある。それ故、ＢＳＩＣ情報を探索し、確認し、および復号するための要件に適合しながら、スキップしたバーストを含む無線ブロックが破損するリスクを低減することができる。下記の図面および添付の詳細な説明を注意深く読めば、通常の当業者であれば本発明の種々の態様、機能および利点をよりよく理解することができるだろう。
【課題を解決するための手段】
【０００５】
通常の基地局識別符号（ＢＳＩＣ）復号を行うことができない許可されたマルチスロット構成の移動局のためのマルチスロット・パケット・データ転送方法は、周知の拡張した探索ウィンドウ技術により、アイドル・フレーム直前のフレーム内の前回の送信バーストをスキップし、また、アイドル・フレーム直前のブロック周期の前回の送信タイムスロット上の無線ブロックの送信を変更する。送信は、無線ブロックの送信を完全にスキップし、前回の送信タイムスロット上の無線ブロックを（１つ以上のダミー・バーストからなる）ダミー・ブロックにより置換し、無線ブロックの送信電力レベルを変更し、および／またはその無線ブロックに対して異なる符号化方式を使用することにより変更することができる。
【０００６】
さらに、この方法は、アイドル・フレーム直前のブロック周期の前回の送信タイムスロット上の無線ブロックを変更する時期を決定するための種々の基準を含む。基準は、移動局が確認応答無線リンク制御モードを使用しているか否かの判定、ロバストな符号化方式を使用しているか否かの判定、低域損失基準パラメータＣ１が存在するか否かの判定、高い上りブロック誤り率が存在するか否かの判定、高い下り干渉比が存在するか否かの判定、および／または低い下り受信信号レベルが存在するか否かの判定を含む。
【発明を実施するための最良の形態】
【０００７】
図１は、マルチスロット・パケット・データ転送方法のある実施形態による、少なくとも１つのサービス提供セル１１０および少なくとも１つの隣接セル１２０、１３０を含む移動局１５０を有する無線通信ネットワーク１００である。図の場合、移動局１５０は、携帯電話であるが、別の方法としては、移動局は、無線接続部を含むポータブル・コンピュータであっても、セルラートランシーバを含む携帯情報端末であっても、その他のものであってもよい。図の場合、無線通信ネットワーク１００は、ＧＳＭ／ＥＤＧＥ（Ｇｌｏｂａｌ  Ｓｙｓｔｅｍ  ｆｏｒ  Ｍｏｂｉｌｅ  ｃｏｍｍｕｎｉｃａｔｉｏｎｓ／Ｅｎｈａｎｃｅｄ  Ｄａｔａ  ｒａｔｅ  ｆｏｒ  ＧＳＭ  Ｅｖｏｌｕｔｉｏｎ）無線ネットワークであるが、無線通信ネットワーク１００は、ＴＤＭＡのような時分割多重アクセス・ネットワークおよび将来の実施を含むＧＳＭの他の実施態様であってもよい。
【０００８】
二方向信号１１５で示すように、移動局１５０は、そのサービス提供セル１１０からパケット・データを送受信する。この実施形態の場合には、信号１１５は、マルチスロット・パケット・データ転送を含む。また、移動局１５０は、モビリティ機能を確保するために、隣接セルの識別を探索し、同期し、および確認する近隣セル探索ウィンドウ内でＢＳＩＣ復号を周期的に行う。この状況の場合には、隣接セル１２０は、信号１２５によりＢＳＩＣ復号のために必要な情報を同報通信し、もう１つの隣接セル１３０は、信号１３５によりＢＳＩＣ復号に必要な情報を同報通信する。図では２つの隣接セル１２０、１３０しか図示されていないが、隣接セルの数は、ゼロ、１、またはそれ以上に一般化することができる。
【０００９】
図２は、図１の無線通信ネットワーク１００内のマルチスロット・パケット・データ転送方法のある実施形態を実施している、例示としての２６のフレームを含むマルチフレーム２００である。マルチフレーム２００は、２６の時分割多元接続（ＴＤＭＡ）フレームを有する。この例示としてのマルチフレーム２００の場合には、３ＧＰＰ  ＴＳ４５．００８Ｖ７．２．０第１０．１．１．２節により、アイドル・フレーム２１６の直前のフレーム２９０内の前回の送信バースト２９５がスキップされるばかりでなく、アイドル・フレーム２１６に先行するブロック２０６内の各フレーム２６０、２７０、２８０、２９０の前回の送信バースト２６５、２７５、２８５、２９５もスキップされる。アイドル・フレーム２１６の直前のブロック周期２０６を形成しているすべてのフレーム２６０、２７０、２８０、２９０内の前回の送信バースト２６５、２７５、２８５、２９５をスキップすると、本質的には、全無線ブロックの送信がスキップされ、上りデータ転送性能が改善され、その場合、無線ブロックの予想したバーストのすべてより少ないものを受信した場合、図１の移動局１５０のアップリンク符号化方式の復号が信頼できなくなるか、または行うことができなくなる。
【００１０】
図の場合、マルチフレーム２００は、ＧＳＭ／ＥＤＧＥパケット・データ・トラフィック・チャネル（ＰＤＴＣＨ）上で使用するための２６のフレームを含むマルチフレームである。パケット・データ転送および制御チャネルをサポートするために使用するマルチフレームは、実際には、２つの２６のフレームを含むマルチフレームを有する５２のフレームを含むマルチフレームであることに留意されたい。ここでは、説明を簡単にするために２６のフレームを含むマルチフレーム・エンティティについて説明する。しかし、このマルチスロット・パケット・データ転送方法は、他のタイプのマルチフレームにも適用することができる。例示としてのマルチフレーム２００は、３つのブロック周期２０１、２０２、２０３およびその後に続くパケット・タイミング・アドバンス制御チャネル（ＰＴＣＣＨ）上で任意の信号を送受信するために使用することができるフレーム２１３を有する。この後に、さらに３つのブロック周期２０４、２０５、２０６およびアイドル・フレーム２１６（探索フレームとも呼ばれる）が続く。各ブロック周期２０１、２０２、２０３、２０４、２０５、２０６は、４つのＴＤＭＡフレームを有し、各フレームは、通常、０〜７の番号がついている８つのタイムスロットを有する。
【００１１】
図２において、アイドル・フレーム２１６の直前の２つのブロック周期２０５、２０６のすべてのタイムスロットについては詳細に説明した。Ｂ４ブロック周期２０５においては、各フレーム２２０、２３０、２４０、２５０は、各フレームの頂部のところに陰影マークで示す８つのタイムスロットを有する。この例の場合には、図１の移動局１５０には、４つの送信タイムスロットＴ１、Ｔ２、Ｔ３およびＴ４が割り当てられていて、各ブロック周期２０１、２０２、２０３、２０４、２０５、２０６に対しては、１つの受信タイムスロットＲが割り当てられている。ＧＳＭシステムは、バースト誤りに対して保護するためにインターリーブを使用するので、移動局は、１つのブロック周期（例えば、Ｂ４）の各フレーム内で同じタイムスロット（例えば、Ｔ１）を使用する１つの無線ブロックを送信する。それ故、１つの無線ブロックは、Ｂ４ブロック周期２０５の各フレーム２２０、２３０、２４０、２５０内の４つのＴ１送信タイムスロット２２２、２３２、２４２、２５２を使用して送信される。もう１つの無線ブロックは、Ｂ４ブロック周期２０５の各フレーム２２０、２３０、２４０、２５０内の４つのＴ２送信タイムスロット２２３、２３３、２４３、２５３中にデータ・バーストを使用して送信される。第３の無線ブロックは、Ｂ４ブロック周期２０５の各Ｔ３送信タイムスロット２２４、２３４、２４４、２５４上のデータ・バーストを使用して送信される。第四の無線ブロックは、Ｔ４送信タイムスロット２２５、２３５、２４５、２５５を使用して送信される。Ｂ４ブロック周期２０５の詳細は、マルチフレーム２００内のすべての先行するブロック周期２０１、２０２、２０３、２０４に適用することができることに留意されたい。
【００１２】
いくつかの符号化方式の場合、データ・バーストは、無線ブロックを適切に送信するために、ブロック周期のすべてのフレームの割り当てられたタイムスロットにより送信しなければならない。実際には、いくつかの符号化方式の場合で、データ・バーストが喪失している場合には、無線ブロックを復号することができない。例えば、ＣＳ４符号化方式（ＧＰＲＳ）、ＭＣＳ−３、ＭＣＳ−４、ＭＣＳ−７、ＭＣＳ−８およびＭＣＳ−９変調および符号化方式の場合には、無線ブロックを適切に復号するために、ブロック周期内のすべてのデータ・バーストを受信しなければならない。それ故、アイドル・フレーム２１６の直前のフレーム２９０内の前回の送信バースト２９５が、３ＧＰＰ  ＴＳ４５．００８Ｖ７．２．０第１０．１．１．２節によりスキップされた場合で、いくつかの符号化方式を使用した場合には、Ｂ５ブロック周期２０６のＴ４タイムスロット２６５、２７５、２８５、２９５上の全無線ブロックが破損する。送信バーストをスキップした場合、他の符号化方式は、無線ブロックが必ずしも破損するわけではないが、送信バーストをスキップすると、依然として、ノイズおよび他のタイプの干渉のような他の要因により無線ブロックが破損する場合があることに留意されたい。「より」ロバストな符号化方式なら、僅かにロバストな符号化方式よりもっと多くのデータ・バーストの喪失に耐えることができる。もちろん、ロバストでない符号化方式は、どんなデータ・バーストの喪失にも耐えることはできない。
【００１３】
それ故、アイドル・フレーム２１６の直前のフレーム２９０内の前回の送信バースト２９５だけをスキップする代わりに、アイドル・フレーム２１６の直前のブロック周期２０６内のバースト２６５、２７５、２８５、２９５を含む最も大きな番号のパケット・データ・チャネル（ＰＤＣＨ）が、ある状況において変更またはスキップされる。それ故、１つの無線ブロックが、Ｂ５ブロック周期２０６の各フレーム２６０、２７０、２８０、２９０内の４つのＴ１送信タイムスロット２６２、２７２、２８２、２９２により送信される。他の無線ブロックは、Ｂ５ブロック周期２０６の各フレーム２６０、２７０、２８０、２９０内の４つのＴ２送信タイムスロット２６３、２７３、２８３、２９３中にデータ・バーストにより送信される。第３の無線ブロックは、Ｂ５ブロック周期２０６の各Ｔ３送信タイムスロット２６４、２７４、２８４、２９４上のデータ・バーストを使用して送信される。アイドル・フレーム２１６の直前の最も大きな番号のＰＤＣＨ２６５、２７５、２８５、２９５がすでにスキップされていることに留意されたい。最後でないＴ４送信タイムスロット２６５、２７５、２８５は使用されないが、最後のＴ４送信タイムスロット２９５が、３ＧＰＰ  ＴＳ４５．００８Ｖ７．２．０第１０．１．１．２節によりＢＳＩＣ復号２９９を行う目的で探索ウィンドウを拡張するために再割り当てされる。
【００１４】
図３は、マルチスロット・パケット・データ転送方法のある実施形態のフローチャートである。このフローチャートは、マイクロプロセッサ上で稼働しているソフトウェア・プログラムにより、移動局（図１の移動局１５０など）で実施することができる。移動局が許可されたマルチスロット構成内に位置しているが、アイドル・フレームの範囲内で通常のＢＳＩＣ復号を行えないスタート・ステップ３１０の後で、移動局は、自分がアイドル・フレーム直前のブロック周期で処理をしているのか否かを判定する。図２を参照すると、決定ステップ３２０は、移動局がＢ５ブロック周期２０６中に送信の準備をしていて、ステップ３２５に進もうとしている場合には、「はい」で応答する。そうでない場合には、決定ステップ３２０は「いいえ」の経路を通りスタート・ステップ３１０に戻る。
【００１５】
次に、ステップ３２５において、３ＧＰＰ  ＴＳ４５．００８Ｖ７．２．０第１０．１．１．２節により探索ウィンドウを拡張すべきか否かの判定が行われる。次に現れるアイドル・フレームの時間周期中にＢＳＩＣ復号またはマルチＲＡＴ測定を完了できる場合には、探索ウィンドウを拡張する必要はなく、流れはスタート・ステップ３１０に戻る。しかし、次に現れるアイドル・フレームの時間内にＢＳＩＣ復号またはマルチＲＡＴ測定が完了しない場合には、拡張した探索ウィンドウが必要になる。ステップ３２５は、マルチフレーム内の残りのフレームと一致するマルチフレームについての最初の判定により、マルチフレーム毎に決定することができることに留意されたい。拡張した探索ウィンドウを必要としないいくつかの状況があり（例えば、近隣セルのＳＣＨ位置が、アイドル・フレーム内に位置している場合のように）、また拡張した探索ウィンドウが非常な助けになる他の状況もある（例えば、ＦＣＣＨ探索中、または近隣セルのＳＣＨ位置がアイドル・フレームの境界と交差している場合のように）。それ故、近隣セルの相対的タイミング（および近隣セルの数）により、拡張した探索ウィンドウを必要としないいくつかの周期が起こる場合もあるし、拡張した探索に対する必要性が頻繁に起こる周期が起こる場合もある。
【００１６】
次に、移動局は、自分がアイドル・フレーム直前のフレームを処理しているのか否かを判定する。図２を参照すると、移動局がアイドル・フレーム２１６の直前のフレーム２９０中に送信の準備をしている場合には、決定ステップ３３０は「はい」で応答する。次に、流れはステップ３７５に進み、スタート・ステップに戻る前に、３ＧＰＰ  ＴＳ４５．００８Ｖ７．２．０第１０．１．１．２節により、フレームの前回の送信バーストをスキップする。そうでない場合には、決定ステップ３３０は「いいえ」経路を通ってステップ３４０に進む。
【００１７】
ステップ３４０においては、アイドル・フレーム直前の最も番号が大きいＰＤＣＨ上の無線ブロックの送信を変更する時間が決定される。最後のフレームでないフレーム内のバーストを変更する時間の決定は、実施態様特定のものであり、設計者が、データ破損とデータの転送速度との間の適当な折り合いを決定した状況により変わるし、現在の残りの考慮を含む。このフローチャートの場合には、ステップ３４０は、２つの決定ステップ３５０、３６０により実施される。ステップ３５０において、移動局は、移動局が確認応答ＲＬＣモードで動作しているのか否かを判定する。移動局が確認応答ＲＬＣモードで動作している場合には、流れはステップ３６０に進み、そこで移動局は使用している符号化方式が、ロバストな符号化方式であるか否かを判定する。ロバストな符号化方式は、純粋な信号処理の観点から見て、バーストが喪失している場合でも、無線ブロックを復号することができる符号化方式である。ステップ３６０において、符号化方式がロバストな符号化方式であるとの判定が行われた場合には、流れはスタート・ステップ３１０に戻る。
【００１８】
しかし、移動局が、ステップ３５０において移動局が確認応答ＲＬＣモードで動作していないと判定した場合、または移動局がステップ３６０において、ロバストな符号化方式により送信していないと判定した場合には、移動局は、それをスキップすることにより、ステップ３７０に従ってフレームの前回の送信バーストを変更する。いくつかの状況の下で、アイドル・フレームの直前のフレーム内およびアイドル・フレームの直前のブロック周期内のすべての他のフレーム内の前回の送信バーストをスキップすることにより、マルチスロット・パケット・データ転送方法は、データ破損と転送速度との間の許容できない折り合いとなる状況を回避する。ロバストな符号化方式を使用した場合でも、アイドル・フレームの直前のフレームの前回の送信バーストだけをスキップした場合でも（すなわち、アイドル・フレームの直前のブロック周期の最後のフレームでないフレームの最も番号の大きい送信タイムスロット中のバーストを送信した場合でも）、無線ブロックが破損する場合が依然としてあることに留意されたい。
【００１９】
（１）移動局がＲＬＣ確認応答（または非確認応答）モードで動作しているか否か、および（２）ネットワークがコマンドした符号化方式のロバスト性という２つの図に示す基準の他に、ステップ３４０を実施する場合の決定基準として使用することができる追加のまたは他の基準は、低域損失基準パラメータＣ１、高い上りブロック誤り率、高い下り干渉比、および低い下り受信信号レベルを含む。すでに説明したように、データ転送速度を過度に低減しないで、無線ブロックの破損のリスクを許容できる程度のものにするように、決定ステップ３４０を実施するために、種々のシーケンシャルな順序で任意の数の基準を使用することができる。
【００２０】
アイドル・フレームの直前のブロックの最後のフレームでないフレームの前回の送信バーストをスキップするのが望ましくない場合には、最後のフレームでないフレームの前回の送信バーストを、ダミー・バーストまたは有用でないデータを保持しているプレースホルダー・バーストになるように変更することができる。このような修正を行っても、送信バーストのスキップのように現在のドレーン内に減少は起こらないが、このような修正を行っても、改善されたデータ転送性能の上記利点は維持される。別の方法としては、最後のフレーム内のバーストが喪失していても、ブロックのネットワーク復号の確率を改善するために、上り送信電力を増大することにより、最後のフレームでないフレームの前回の送信バーストを変更することができる。もう１つの変更は、アイドル・フレームの直前のブロックの最後のフレームでないフレーム内の前回のバーストの符号化方式を変更することである。符号化方式のこの変更は、上り送信電力の増大と一緒に行うことができる。
【００２１】
図４および図５は、移動局（例えば、図１の移動局１５０）が、ロバストでない符号化方式を使用して、またアイドル・フレームの直前のフレーム内の前回の送信バーストだけをスキップ（図４）して、結果としての破損した無線ブロックを回復するか、またはアイドル・フレーム直前のブロック周期内の前回の送信タイムスロット上の無線ブロックの送信をスキップ（図５）して、確認応答ＲＬＣモードで４つの上り送信タイムスロット上でパケット・データを送信している場合の比較である。
【００２２】
図４は、３つの従来技術の２６のフレームを含むマルチフレーム４１０、４３０、４５０である。第１のマルチフレーム４１０においては、アイドル・フレーム４１６の直前のブロック周期４２６内の前回の送信無線ブロック［Ｎ］４９５が、アイドル・フレーム４１６の直前のフレーム内のスキップした前回の送信バーストにより破損している。符号化方式がロバストなものでないので、アイドル・フレーム４１６の直前のフレーム内の前回の送信バーストをスキップすると、自動的に前回の無線ブロックが確実に復号されない。他の無線ブロック４９２、４９３、４９４は適切に復号される。
【００２３】
第２のマルチフレーム４３０においては、すべてのブロック周期４３１、４３２、４３３、４３４、４３５および４３６中に、すべての無線ブロックが完全に送信され、適切に復号される。分かりやすくするために、第２のマルチフレーム４３０のアイドル・フレーム４４６の直前のフレーム内の前回の送信バーストはスキップされていないことに留意されたい。例えば、この特定のアイドル・フレーム中にはＢＳＩＣ行動は必要ないか、または探索ウィンドウを拡張する必要がない。
【００２４】
移動局が確認応答ＲＬＣモードで動作しているので、移動局（例えば、図１の移動局１５０）は、無線ブロックＮ４９５を復号することができなかったことを示すサービスを提供している基地局（例えば、図１の基地局１１０）から、パケット・アップリンクＡｃｋ／Ｎａｃｋ（ＰＵＡ／Ｎ）メッセージ４３８を受信する。次の機会に、移動局は、この場合は、第３のマルチフレーム４５０の第２のブロック周期４５２中である無線ブロックＮを再送信する。
【００２５】
この例の場合には、基地局は、無線ブロックＮを適切に受信するために、無線ブロックＮ−１を受信した後で、８つのブロック周期４３１、４３２、４３３、４３４、４３５、４３６、４５１、４５２の間待機しなければならない。ジッタは８ブロック周期である。ブロック周期が２０ミリ秒（ｍｓ）である場合には、ジッタは全部で１６０ｍｓになる。ジッタは、一般にネットワーク構成、特に所与のブロックを否定的に確認応答（Ｎａｃｋ−ｉｎｇ）するための時間に（少なくとも次のスケジューリング済み確認応答メッセージを送信する時間だけ増大したサービス提供セルによるＢＳ＿ＣＶ＿ＭＡＸパラメータ同報通信の値に）依存し、ジッタは、また、移動局が確認応答メッセージを分析し、再送信の準備をし、それを（通常は、２ブロック周期である）エアインタフェースにより送信する時間に依存することに留意されたい。
【００２６】
図５は、マルチスロット・パケット・データ転送方法のある実施形態を実施している３つの２６のフレームを含むマルチフレーム５１０、５３０、５５０である。第１のマルチフレーム５１０のアイドル・フレーム５１６の直前のブロック周期５２６内の前回の送信タイムスロットによる無線ブロック５９５の送信がスキップされるので、無線ブロックは破損しないし、無線ブロックＮを再送信する必要もない。
【００２７】
第１のマルチフレーム５１０内のアイドル・フレーム５１６の前の前回のブロック周期５２６中に、第１の３つの無線ブロック５９２、５９３、５９４が送信され、最後の無線ブロック５９５が変更される。例えば、変更した無線ブロックはスキップされ、図２のブロック周期２０６のタイムスロットＴ４中に、インターリーブしているデータ・バースト２６５、２７５、２８５、２９５により送信されない。代わりに、スキップされた無線ブロックが、次の使用できるブロック周期５３１中に送信される。移動局は、第２のマルチフレーム５３０の他のブロック周期５３２、５３３、５３４、５３５、５３６の割り当てられたタイムスロット中に送信を継続する。この場合も、分かりやすくするために、第２のマルチフレーム５３０のアイドル・フレーム５３６の直前のすべてのフレーム内の前回の送信バーストはスキップされていない。
【００２８】
無線ブロックＮが前のブロック周期５２６の代わりに次のブロック周期５３１中に送信されたので、無線ブロックＮは喪失しているデータ・バーストにより破損しないで、ＮＡＣＫは受信されない。第３のマルチフレーム５５０においては、残りの無線ブロックは、図のブロック周期５５１、５５２中に送信される。
【００２９】
図４および図５に示すように、同じ無線ブロックＮ−３からＮ＋３１を第１のマルチフレーム５１０の前回のブロック５２６中に、第３のマルチフレーム５５０の第２のブロック５２２に送信することができる。図の例のマルチスロット・パケット・データ転送方法を使用することにより、喪失している送信バーストによるジッタは、１６０ｍｓから２０ｍｓに低減する。移動局がロバストでない符号化方式を使用し、マルチスロット・パケット・データ転送方法の実施態様の利点を持たない非確認応答ＲＬＣモードで動作していた場合には、無線ブロックＮは、回復できないほどに破損することに留意されたい。各マルチフレームが、アイドル・フレームの直前のフレーム内の前回の送信バーストだけをスキップした場合には（例えば、アイドル・フレーム４４６の直前のフレーム４３６内の前回の送信バーストがスキップされ、それ故、無線ブロックＮ＋２４も破損しているというように）、データ・バースト損失のマイナスの衝撃はさらに大きなものになる。対照的に、移動局がロバストでない符号化方式を使用し、マルチスロット・パケット・データ転送方法の実施態様の利点を含む非確認応答ＲＬＣモードで動作していた場合には、無線ブロックは破損しないし、送信は軽度のジッタにより影響を受けるだけである。
【００３０】
図３の実施態様の場合には、移動局が確認応答ＲＬＣモードで動作していて、符号化方式がロバストであると思われる場合には、無線ブロックの破損のリスクは許容できるものであり、移動局は最後のフレームでないフレームの前回の送信バーストで送信する。対照的に、符号化方式がロバストなものではなく、移動局が最後のフレームでないフレームの前回の送信バーストで送信する場合には、無線ブロックは破損し、最後のフレームでないフレーム中のこれらの前回の送信バースト中に使用した現在のドレーンは無駄になり、移動局は、無線ブロックを再送信しなければならなくなり、その結果ジッタが増大する。
【００３１】
それ故、マルチスロット・パケット・データ転送方法は、拡張した探索ウィンドウを使用している場合、無線ブロックを破損する送信バーストを変更する。この変更により、無線ブロックを破損させる送信バーストをスキップすることによる無駄になった現在のドレーンが低減し、移動局が確認応答ＲＬＣモードで動作している場合、無線ブロックの再送信によるジッタが低減し、および／またはデータ転送性能を改善することができる。
【００３２】
本明細書は、現在好ましい実施形態であると思われるもの、および本発明者がその所有を確立し、通常の当業者であれば本発明を実施し使用することができるようにする方法で記述した本発明の最善の形態を含んでいるが、開示の実施形態には多くの等価物が存在し、好ましい実施形態により制限されず、本出願の審査中に行われたすべての補正、および発行したこれらの特許請求の範囲のすべての等価物を含む添付の特許請求の範囲により制限される、本発明の範囲および精神から逸脱することなしに種々の修正および変更を行うことができることを理解することができるだろう。
【００３３】
さらに、第１および第２、頂部および底部等の関係を示す用語を使用した場合には、あるものを他のエンティティ、項目または行動から区別するためだけに使用したのであり、このようなエンティティ、項目または行動の間に、任意の実際のこのような関係または順序を必ずしも要求するものでもなければ、意味するものでもないことを理解されたい。本発明の機能の大部分および本発明の原理の多くのものはソフトウェア・プログラムまたは命令と一緒にまたはその中で最もよく実施することができる。通常の当業者であれば、おそらく、例えば、使用できる時間、現在の技術、および経済的考慮事項によりかなりの努力と多くの設計上の選択を行わなければならないかもしれないが、開示のコンセプトおよび原理によりこのようなソフトウェア命令およびプログラムを最小限度の実験により容易に生成することができるだろう。それ故、このようなソフトウェアをさらに記述するにしても、簡単に手短かに行い、本発明の原理およびコンセプトが分かりにくくなるのをできるだけ避けることにする。
【００３４】
実施形態は、フロッピー（登録商標）・ディスク、ＣＤ−ＲＯＭ、ハード・ドライブまたは任意の他のコンピュータ可読記憶媒体のような実体的な媒体で実施される命令を含むコンピュータ・プログラム・コードを含む。この場合、コンピュータ・プログラム・コードをプロセッサ内にロードしプロセッサにより実行した場合、プロセッサは本発明を実施するための装置になる。実施形態は、例えば、記憶媒体内に格納されているか、コンピュータ内にロードされ、および／またはコンピュータにより実行されるか、または電気配線、またはケーブル、光ファイバ、または電磁放射線を介してある種の送信媒体により送信されるコンピュータ・プログラム・コードを含む。この場合、コンピュータ・プログラム・コードが、コンピュータ内にロードされコンピュータにより実行された場合、コンピュータは本発明を実施するための装置になる。汎用マイクロプロセッサ上で実施した場合、コンピュータ・プログラム・コード・セグメントは、特定の論理回路を生成するためのマイクロプロセッサを構成する。
【図面の簡単な説明】
【００３５】
【図１】マルチスロット・パケット・データ転送方法のある実施形態による、少なくとも１つのサービス提供セルおよび少なくとも１つの隣接セルを含む移動局を有する無線通信ネットワーク。
【図２】図１の無線通信ネットワークのマルチスロット・パケット・データ転送方法のある実施形態を実施している例示としての２６のフレームを含むマルチフレーム。
【図３】マルチスロット・パケット・データ転送方法のある実施形態のフローチャート。
【図４】スキップしたアイドル・フレーム直前のフレーム内の前回の送信バーストを含む３つの従来技術の２６のフレームを含むマルチフレーム、および確認応答無線リンク制御（ＲＬＣ）モードによるスキップしたバーストの回復。
【図５】マルチスロット・パケット・データ転送方法のある実施形態を実施している３つの２６のフレームを含むマルチフレーム。
【図１】
2009534941.tif 000003
【図２】
2009534941.tif 000004
【図３】
2009534941.tif 000005
【図４】
2009534941.tif 000006
【図５】
2009534941.tif 000007
【国際調査報告】
2009534941.tif 000008